(57)【要約】【課題】圧力損失や圧力変動を低減でき、騒音,振動を低減できると共に、特に加湿空気を搬送する加湿通路の接続する用途において結露の発生を効果的に防止できるジョイントを提供する。【解決手段】  第１の直管部１と、第１の直管部１の一端に一端が連なり、略９０度に曲がった曲管部２と、曲管部２の他端に一端が連なり、第１の直管部１の軸と軸が略直交する第２の直管３と、曲管部２を覆い、曲管部２が略９０度に曲がった状態に見える正面視側から見た形状が扇状の断熱部４とを備える。上記曲管部２の外周側かつ曲管部２が略９０度に曲がった状態に見える正面視側に、断熱部４の位置決め用のリブ２１,２２設ける。【選択図】図１
2005098400.tif 000002
【特許請求の範囲】
【請求項１】
第１の直管部(１)と、
上記第１の直管部(１)の一端に一端が連なり、略９０度に曲がった曲管部(２)と、
上記曲管部(２)の他端に一端が連なり、上記第１の直管部(１)の軸と軸が略直交する第２の直管部(３)と、
上記曲管部(２)を覆い、上記曲管部(２)が略９０度に曲がった状態に見える正面視側から見た形状が扇状の断熱部(４)とを備えたことを特徴とするジョイント。
【請求項２】
請求項１に記載のジョイントにおいて、
上記曲管部(２)の外周側かつ上記曲管部(２)が略９０度に曲がった状態に見える正面視側に、上記断熱部(４)を位置決めするためのリブ(２１,２２)または溝を設けたことを特徴とするジョイント。
【請求項３】
請求項１または２に記載のジョイントにおいて、
上記第１,第２の直管部(１,３)および上記曲管部(２)は、ブロー成型により一体に形成されていることを特徴とするジョイント。
【発明の詳細な説明】
【技術分野】
【０００１】
この発明は、ジョイントに関し、特に加湿装置の加湿通路等の配管を接続するジョイントに関する。
【背景技術】
【０００２】
従来、室外から加湿通路を介して室内に加湿空気を供給する加湿運転を行う加湿装置を備えた空気調和機がある(例えば、特開２０００−２８４１５８号公報(特許文献１)参照)。
【０００３】
ところで、上記空気調和機では、室外の加湿装置と室内を接続するための加湿通路を壁に設けた穴に通している。この場合、壁面に対して直角に通した加湿通路を室外側の壁面に沿って配設しようとする場合、穴を出てから直角に曲げようとしても加湿通路に用いられるホースの最小曲げ半径が大きいために壁面から加湿通路が離れて固定しにくいという問題や、加湿通路を化粧ダクトで覆うなどができず、外観のよい施工ができないという問題がある。
【０００４】
そこで、この加湿通路の屈曲箇所において、ジョイントを用いて直線状の加湿通路同士を略直角に接続することが考えられる。しかしながら、このジョイントは、一般にインジェクション成形により形成されるために内側のコーナーに角部があり、この内側コーナーの角部によって加湿空気の流れが乱れて、圧力損失や騒音が大きくなると共に、圧力変動により結露が生じ易くなるという問題がある。
【特許文献１】特開２０００−２８４１５８号公報
【発明の開示】
【発明が解決しようとする課題】
【０００５】
そこで、この発明の目的は、圧力損失や圧力変動を低減でき、騒音,振動を低減できると共に、特に加湿空気を搬送する加湿通路の接続する用途において結露の発生を効果的に防止できるジョイントを提供することにある。
【課題を解決するための手段】
【０００６】
上記目的を達成するため、この発明のジョイントは、第１の直管部と、上記第１の直管部の一端に一端が連なり、略９０度に曲がった曲管部と、上記曲管部の他端に一端が連なり、上記第１の直管部の軸と軸が略直交する第２の直管部と、上記曲管部を覆い、上記曲管部が略９０度に曲がった状態に見える正面視側から見た形状が扇状の断熱部とを備えたことを特徴とする。
【０００７】
上記構成のジョイントによれば、上記略９０度に曲がった曲管部は、内側に滑らかに曲がる通路を有するので、このジョイント内に導かれた流体の流れがスムーズになって剥離等の乱れが生じるのを抑制して、圧力損失や騒音を低減できる。また、上記曲管部が略９０度に曲がった状態に見える正面視側から見た形状が扇状の断熱部によって、内部に結露が生じやすい領域である曲管部を覆って断熱することによって、特にこのジョイントを加湿通路に用いた場合に圧力変動に起因する結露の発生を効果的に防止できる。
【０００８】
また、一実施形態のジョイントは、上記曲管部の外周側かつ上記曲管部が略９０度に曲がった状態に見える正面視側に、上記断熱部を位置決めするためのリブまたは溝を設けたことを特徴とする。
【０００９】
上記実施形態のジョイントによれば、上記曲管部の外周側かつ曲管部が略９０度に曲がった状態に見える正面視側に設けられた位置決めするためのリブまたは溝によって、上記断熱部を容易に位置決めすることができる。
【００１０】
また、一実施形態のジョイントは、上記第１,第２の直管部および上記曲管部が、ブロー成型により一体に形成されていることを特徴とする。
【００１１】
上記実施形態のジョイントによれば、上記第１,第２の直管部および曲管部をブロー成型により一体に形成することによって、内側がより滑らかに曲がる通路が得られる。
【発明の効果】
【００１２】
以上より明らかなように、この発明のジョイントによれば、圧力損失や圧力変動を低減でき、騒音,振動および結露の発生を低減できる。
【発明を実施するための最良の形態】
【００１３】
以下、この発明のジョイントを図示の実施の形態により詳細に説明する。
【００１４】
図１はこの発明の実施の一形態のジョイントの略９０度に曲がった状態に見える正面視図を示し、図２は図１のII−II線から見た図を示している。
【００１５】
このジョイントは、図１,図２に示すように、第１の直管部１と、上記第１の直管部１の一端に一端が連なり、略９０度に曲がった曲管部２と、上記曲管部２の他端に一端が連なり、第１の直管部１の軸と軸が略直交する第２の直管３と、上記曲管部２を覆い、上記曲管部２が略９０度に曲がった状態に見える正面視側から見た形状が扇状の断熱部４とを備えている。また、上記断熱部４は、曲管部２が略９０度に曲がった状態に見える正面視側から見た形状が扇状をしている。上記直管部１,３および曲管部２は、塩化ビニール等の合成樹脂を用いてブロー成型により一体に形成されており、内側がより滑らかに曲がる通路が形成されている。また、上記断熱部４はポリエチレンシートや発泡スチロール等からなる。
【００１６】
また、上記直管部１の外周に、開口部１a側に向かって徐々に小径になる２つの円錐面１１,１２を設けて、２つの段部１３,１４を形成している。また、上記直管部３の外周に、開口部３a側に向かって徐々に小径になる２つの円錐面３１,３２を設けて、２つの段部３３,３４を形成している。上記直管部１,３を被接続配管(図示せず)内に夫々挿入し、段部１３,１４および段部３３,３４により夫々抜けを防止する。
【００１７】
上記曲管部２の外周側かつ曲管部２が略９０度に曲がった状態に見える正面視側に、断熱部２を位置決めするためのリブ２１,２２を設けている。なお、図１では、曲管部２の片側のリブ２１,２２を示しているが、曲管部２の対向する裏側にも同様のリブを設けている(図２参照)。上記断熱部４の両端面４１,４２をリブ２１,２２に夫々合わせて、曲管部２の外周側に断熱部４を接着して固定している。この断熱部は、略直交する直管部１,３の軸を含む平面で分割され、曲管部２を両側から挟むようにして取り付ける。
【００１８】
上記リブ２１,２２を曲管部２が略９０度に曲がった状態に見える正面視側に設けることにより、ブロー成型において曲管部２のリブ形成位置の内側に凹部が形成されても、このジョイントに導かれた流体の流れに対する影響を少なくできる。
【００１９】
上記構成のジョイントによれば、略９０度に曲がった曲管部２は、内側に滑らかに曲がった通路のコーナーが湾曲面２３となっていると共に、そのコーナーに対向する外側も曲面となっているので、このジョイント内に導かれた流体がスムーズに流れて、流体に乱れが生じるのを抑制することにより、圧力損失や騒音,振動を低減することができる。また、上記曲管部２を覆う断熱部４による断熱効果によって、特にこのジョイントを加湿空気を搬送する加湿通路の接続に用いた場合、圧力変動に起因する結露の発生を効果的に防止することができる。
【００２０】
また、上記曲管部２の外周側かつ曲管部２が略９０度に曲がった状態に見える正面視側に設けられた位置決め用のリブ２１,２２によって、断熱部４を容易に位置決めすることができ、組み立ての作業性が向上する。
【００２１】
また、上記ジョイントを、たとえば室外の加湿装置から室内に加湿空気を搬送するための加湿通路の接続に用いた場合、壁面に対して直角に通した加湿通路を室外側の壁面に沿って略直角に曲げて配設することができ、加湿通路の固定が容易になると共に、加湿通路を化粧ダクトで覆うことも可能となり、外観のよい施工ができる。
【００２２】
上記実施の形態では、曲管部２の外周側かつ曲管部２が略９０度に曲がった状態に見える正面視側に位置決め用のリブ２１,２２を設けたが、リブの代わりに溝を設けてもよい。また、曲管部２が略９０度に曲がった状態に見える正面視側である曲管部２の両側に位置決め用のリブ２１,２２を設けたが、曲管部の外周側に設けたリブまたは溝は、その片側のみに設けてもよい。
【図面の簡単な説明】
【００２３】
【図１】図１はこの発明の実施の一形態のジョイントの正面視図である。
【図２】図２は図１のII−II線から見た図である。
【符号の説明】
【００２４】
１…第１の直管部、
２…曲管部、
１…第２の直管部、
４…断熱部、
２１,２２…リブ。
【図１】
2005098400.tif 000003
【図２】
2005098400.tif 000004